(57)【特許請求の範囲】
【請求項１】
構造物の屋外空間側と屋内空間側とを連通する開口に設けられ、扉体が回動可能に支持された扉枠であって、
前記扉体が前記開口を閉塞させる開口閉塞状態で、前記扉体と当接することで前記開口をシールするシール部と、
前記開口閉塞状態で前記シール部より屋内側に位置する屋内側部材と、前記開口閉塞状態で前記シール部より屋外側に位置し、前記扉体のラッチと係合する係合受部が配設された屋外側部材と、を有する一対の縦枠と、
前記一対の縦枠の上端同士を連結する上枠と、
前記一対の縦枠の下端同士を連結する下枠と、
前記屋内側部材と前記屋外側部材とによって囲まれ、連通した空間を区画する閉塞部材と、
を備え、
前記開口閉塞状態で、前記屋内側部材と前記閉塞部材とで区画された第１空間が、前記シール部によって前記構造物の屋外空間側に対して閉塞され、
前記開口閉塞状態で、前記屋外側部材と前記閉塞部材とで区画された第２空間が、前記閉塞部材によって前記構造物の屋内空間側に対して閉塞され、
前記係合受部は、第２空間に凸状に形成されている、
ことを特徴とする扉枠。
【請求項２】
前記閉塞部材は、前記屋内側部材の少なくとも一部および前記屋外側部材の少なくとも一部と、重ね合わされて密着した状態で配設されている、
ことを特徴とする請求項１記載の扉枠。
【発明の詳細な説明】
【技術分野】
【０００１】
本発明は、扉枠に関する。
【背景技術】
【０００２】
従来の止水扉として、例えば、特許文献１には、環状の枠部材と、この枠部材の開口を塞止する扉部材とを備え、この扉部材にて開口を塞止することによって、開口からの浸水を阻止する止水扉装置が開示されている。この止水扉装置は、枠部材に、扉部材の周縁部を受ける環状の受部が設けてあり、この受部の適宜位置に扉部材に当接させる枠側凸部が開口に倣って延設してある。そして、この止水扉装置は、受部の扉側凸部の当接部分に、弾性材を用いてなる止水部材が延設してある。
【先行技術文献】
【特許文献】
【０００３】
【特許文献１】特開２００７−０２３５４０号公報
【発明の概要】
【発明が解決しようとする課題】
【０００４】
ところで、上述の特許文献１に記載の止水扉装置は、上記の構成により開口を密閉し、建物内部への浸水を防止しているが、例えば、さらなる止水性能の向上の点で改善の余地がある。
【０００５】
本発明は、上記の事情に鑑みてなされたものであって、止水性能を向上することができる扉枠を提供することを目的とする。
【課題を解決するための手段】
【０００６】
上記目的を達成するために、本発明に係る扉枠は、構造物の屋外空間側と屋内空間側とを連通する開口に設けられ、扉体が回動可能に支持された扉枠であって、前記扉体が前記開口を閉塞させる開口閉塞状態で、前記扉体と当接することで前記開口をシールするシール部と、前記開口閉塞状態で前記シール部より屋内側に位置する屋内側部材と、前記開口閉塞状態で前記シール部より屋外側に位置し、前記扉体のラッチと係合する係合受部が配設された屋外側部材と、を有する一対の縦枠と、前記一対の縦枠の上端同士を連結する上枠と、前記一対の縦枠の下端同士を連結する下枠と、前記屋内側部材と前記屋外側部材とによって囲まれ、連通した空間を区画する閉塞部材と、を備え、前記開口閉塞状態で、前記屋内側部材と前記閉塞部材とで区画された第１空間が、前記シール部によって前記構造物の屋外空間側に対して閉塞され、前記開口閉塞状態で、前記屋外側部材と前記閉塞部材とで区画された第２空間が、前記閉塞部材によって前記構造物の屋内空間側に対して閉塞され、前記係合受部は、第２空間に凸状に形成されている、ことを特徴とする。
【０００７】
上記扉枠は、開口閉塞状態で、屋外側部材と閉塞部材とで区画された第２空間が、係合受部を介して構造物の屋外空間側と連通し、閉塞部材によって構造物の屋内空間側に対して閉塞されている。このために、開口閉塞状態で浸水し、屋外側部材の係合受部から第２空間に水が浸入したとしても、建造物の屋内空間側への水の浸入を抑制できる。したがって、扉枠は、止水性能を向上することができる。ここで、抑制とは、阻止や防止の意味を含むものとする。また、止水とは、水の浸入の抑制の意味を含むものとする。
【０００８】
また、上記扉枠では、前記閉塞部材は、前記屋内側部材の少なくとも一部および前記屋外側部材の少なくとも一部と、重ね合わされて密着した状態で配設されている、ものとすることができる。
【０００９】
この場合、扉枠は、閉塞部材が屋内側部材の少なくとも一部および屋外側部材の少なくとも一部と、重ね合わされて密着した状態で配設されているため、止水性能をより向上することができる。
【発明の効果】
【００１０】
本発明に係る扉枠は、止水性能を向上することができる、という効果を奏する。
【図面の簡単な説明】
【００１１】
【図１】図１は、実施形態に係る止水扉の概略構成を表す模式的な正面図である。
【図２】図２は、図１に示すＩＩ−ＩＩ断面図である。
【図３】図３は、図２に示された止水扉の扉体が止水位置に位置付けられた状態を示す断面図である。
【図４】図４は、実施形態に係る扉枠を組み立てる状態を示す斜視図である。
【図５】図５は、図４中の縦枠部材と下枠部材とを拡大して示す斜視図である。
【図６】図６は、図４中の縦枠部材と下枠部材とを拡大して示す斜視図である。
【図７】図７は、図４中の縦枠部材と下枠部材とを拡大して示す斜視図である。
【図８】図８は、図４に示す扉枠が組み立てられた状態を示す斜視図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１３】
［実施形態］
図１は、実施形態に係る止水扉の概略構成を表す模式的な正面図である。図１、図２に示す実施形態の止水扉１は、ビル、家屋、倉庫等の建築物を含む構造物Ｓに形成された開口Ｏを開放あるいは閉塞するものである。開口Ｏは、構造物Ｓの一方の空間側（例えば、屋外空間側）と他方の空間側（例えば、屋内空間側）とを連通するように形成される。本実施形態の止水扉１は、開口Ｏを通して構造物Ｓの内部に水が浸入することを防止する、いわゆる止水扉である。また、止水扉１は、開口Ｏを開閉して、開口Ｏを通して構造物Ｓに人などを出入りさせるものである。本実施形態の止水扉１は、図２に示すように、扉枠４と、扉体５と、シール部３（図３参照）と、複数のグレモンハンドル９などを備える。
【００１４】
なお、以下の説明では、扉体５を閉塞位置に回動させる際の回動方向を「閉塞時回動方向」といい、扉体５を開放位置に回動させる際の回動方向を「開放時回動方向」という場合がある。また、閉塞時回動方向は、典型的には、開口Ｏを介して一方の空間側から他方の空間側へ水が浸入する可能性がある場合に、水が流動する可能性がある方向に沿った方向である。つまり、水の流動方向は、典型的には、開放時回動方向側が上流側、閉塞時回動方向側が下流側となる。また、水平方向に沿った方向であって後述の一対の縦枠部材（縦枠）４１が向かい合う方向を「扉幅方向」という場合がある。すなわち、下流側（屋内空間側）とは、水の浸入を阻止や抑制したい側であり、上流側（屋外空間側）とは、浸入可能性のある水が流れてくる側のことである。なお、屋外空間側や屋内空間側とは水が浸入する可能性がある場合の上流側や下流側を意味する便宜上の文言であり、本発明は、例えば廊下等の通路のような家屋や部屋等の概念が必ずしも明確にならない場所に設置された扉に対しても適用できる。
【００１５】
シール部３は、後述する扉体５が開口Ｏを閉塞させる開口閉塞状態で、扉体５と当接することで開口Ｏをシールするものである。シール部３は、後述するシールゴム６と止水ゴム７とを有しており、扉枠４に配設される。ここで、開口閉塞状態とは、扉体５が、開口Ｏの閉塞位置に位置し、ラッチ５７が係合受部４１３ａに係合して、シールゴム６が弾性変形した非止水位置と、非止水位置よりも屋外空間側に位置して止水ゴム７とシールゴム６との双方が弾性変形する止水位置のいずれかにある状態をいう。
【００１６】
扉枠４は、開口Ｏの周囲を囲むように構造物Ｓに固定的に取り付けられている。扉枠４は、一対の縦枠部材４１と、上枠部材（上枠）４２と、下枠部材４３とを含んで構成される四方枠タイプとなっている。一対の縦枠部材４１は、それぞれ開口Ｏの扉幅方向両端部に１つずつ設けられる。一対の縦枠部材４１は、扉幅方向において開口Ｏの空間部分を挟んで対向し、扉幅方向において左右一対で設けられる。一対の縦枠部材４１は、高さ方向（鉛直方向）に沿って設けられる。
【００１７】
扉枠４は、開口Ｏの内面側にて一対の縦枠部材４１の端部と一対の上枠部材４２、下枠部材４３の端部とが連結されており、全体として開口Ｏに対応した環状のロの字型形状に構成される。ここでは、一対の縦枠部材４１、上枠部材４２、下枠部材４３は、それぞれ板状の金属材により中空状の断面形状に形成される。一対の縦枠部材４１、上枠部材４２、下枠部材４３は、開口Ｏとの間がコーキング材等により水密状態とされる。
【００１８】
上枠部材４２および下枠部材４３は、それぞれ開口Ｏの高さ方向の上側、下側に１つずつ設けられる。ここでは、上枠部材４２は、開口Ｏの高さ方向上側に設けられる。下枠部材４３は、開口Ｏの高さ方向下側に設けられる。上枠部材４２および下枠部材４３は、高さ方向において開口Ｏの空間部分を挟んで対向する。上枠部材４２および下枠部材４３は、水平方向に沿って設けられる。
【００１９】
さらに、扉枠４は、各縦枠部材４１、上枠部材４２、下枠部材４３における開口Ｏの空間部分側に、シール部３としての後述するシールゴム６や止水ゴム７を保持するための保持部４４を有する。保持部４４は、扉枠４の各縦枠部材４１、上枠部材４２、下枠部材４３に沿って、全体として環状のロの字型形状に構成される。
【００２０】
縦枠部材４１は、図３に示すように、主として、屋内側部材４１１と、アンカー板４１２と、屋外側部材４１３と、閉塞部材４１４と、補強部材４１５とを組み合わせて構成される。
【００２１】
屋内側部材４１１は、開口閉塞状態でシール部３より屋内空間側（屋内側）に位置するものである。屋内側部材４１１は、水平方向の断面が略Ｌ字状の板材であり、一側端部において曲げ加工されて延設部４１１ａが延設される。屋内側部材４１１は、他側端部から外方にリブ４１１ｂが延設され、他側端部において曲げ加工されて延設部４１１ｃが延設される。延設部４１１ａの先端部内周面は、水平方向の断面が略Ｌ字状のアンカー板４１２の一側面４１２ａの先端部外周面と接合される。アンカー板４１２は、図示しない締結部材などで構造物Ｓに固定されるものである。
【００２２】
屋外側部材４１３は、開口閉塞状態でシール部３より屋外空間側（屋外側）に位置し、後述する扉体５のラッチ５７と係合する係合受部４１３ａが配設されたものである。係合受部４１３ａは、係合面４１３ｂを切り欠いて屋外側部材４１３の内側空間（後述する第２空間Ａ２）に凸状に形成されており、扉体５のラッチ５７を収容可能な大きさ、形状に設定される。この係合受部４１３ａを介して、屋外空間側と第２空間Ａ２とが連通する。ここで、係合受部４１３ａとは、扉体５に配設されるドアノブ５４やグレモンハンドル９のラッチやハンドルを含む突上部材を受ける切り欠き状の凹部（ラッチ受け、ハンドル受け）のことをいう。
【００２３】
屋外側部材４１３は、水平方向の断面が略コの字状の板材であり、一側端部において曲げ加工されて、延設部４１３ｃが延設される。屋外側部材４１３の内周面には、後述する閉塞部材４１４が接合される。
【００２４】
閉塞部材４１４は、屋内側部材４１１と屋外側部材４１３とによって囲まれ、連通した空間を区画するものである。閉塞部材４１４は、板材を４つの曲げ部４１４ａ、４１４ｂ、４１４ｃ、４１４ｄで曲げ加工して形成されており、５つの平面４１４ｅ、４１４ｆ、４１４ｇ、４１４ｈ、４１４ｉを有する。この閉塞部材４１４は、屋内側部材４１１および屋外側部材４１３と接合される。この閉塞部材４１４の内側には、後述する補強部材４１５が接合される。
【００２５】
具体的には、閉塞部材４１４の平面４１４ｅは、屋内側部材４１１の延設部４１１ｃの外周面全面と密着した状態で接合される。平面４１４ｆは、屋外側部材４１３の係合面４１３ｂの先端部内周面と溶接される。平面４１４ｇは、アンカー板４１２の他側面４１２ｂの外周面全面と密着した状態で接合される。平面４１４ｈは、屋外側部材４１３の側面４１３ｅの内周面全面と密着した状態で接合され、屋外側部材４１３の一側端部において溶接される。平面４１４ｉは、止水用テープ４１６を介して、屋外側部材４１３の側面４１３ｄの内周面全面と密着した状態で接合される。このような閉塞部材４１４により、屋内側部材４１１と屋外側部材４１３とによって囲まれ、連通した空間が区画される。すなわち、屋内側部材４１１とアンカー板４１２と閉塞部材４１４とで囲まれた内側には、第１空間Ａ１が形成される。屋外側部材４１３と閉塞部材４１４とで囲まれた内側には、第２空間Ａ２が形成される。
【００２６】
開口閉塞状態で、第１空間Ａ１は、シール部３によって構造物Ｓの屋外空間側に対して閉塞されていて連通していない。すなわち、第１空間Ａ１は、構造物Ｓの屋外空間側に対して閉塞される。このため、開口閉塞状態では、止水扉１の浸水時であっても、水が第１空間Ａ１に浸入することが抑制される。
【００２７】
開口閉塞状態で、第２空間Ａ２は、閉塞部材４１４によって構造物Ｓの屋内空間側に対して閉塞される。第２空間Ａ２は、屋外側部材４１３の係合受部４１３ａを介して屋外空間側と連通しているが、閉塞部材４１４によって構造物Ｓの屋内空間側に対して閉塞される。このため、開口閉塞状態では、止水扉１の浸水時に、水が係合受部４１３ａから第２空間Ａ２に浸入したとしても、水が屋内空間側に流入が回避され、係合受部４１３ａから屋外空間側に排出される。具体的には、屋外側部材４１３の側面４１３ｄの内周面全面と閉塞部材４１４の平面４１４ｉとが止水用テープ４１６を介して密着しており、閉塞部材４１４の平面４１４ｈと屋外側部材４１３の一側端部とが溶接され、屋外側部材４１３の係合面４１３ｂの先端部内周面と閉塞部材４１４の平面４１４ｆとが溶接されているため、第２空間Ａ２に浸入した水は、接合部などから第１空間Ａ１や屋内空間側に漏れ出ることが回避される。
【００２８】
補強部材４１５は、縦枠部材４１の剛性を高めるためのものである。補強部材４１５は、図４に示すように、屋外側部材４１３の内側に位置する閉塞部材４１４の内側に、閉塞部材４１４の長手方向（垂直方向）に、複数個が接合される。補強部材４１５は、図３に示すように、水平方向の断面が略Ｕ字状の板材であり、３つの平面４１５ａ、４１５ｂ、４１５ｃを有する。補強部材４１５は、一側端部において曲げ加工されて延設部４１５ｄが延設される。延設部４１５ｄの外周面全面は、閉塞部材４１４の平面４１４ｈと密着した状態で接合される。平面４１５ａの外周面全面は、閉塞部材４１４の平面４１４ｇと密着した状態で接合される。平面４１５ｃの外周面全面は、閉塞部材４１４の平面４１４ｉと密着した状態で接合される。平面４１５ｂは、屋外側部材４１３の係合面４１３ｂと離間して配設される。
【００２９】
扉体５は、図１に示すように、扉枠４に回動可能に支持され開口Ｏを開閉する開閉体である。すなわち、扉体５は、開口Ｏを開放あるいは閉塞する。本実施形態の扉体５は、片開き式の扉である。扉体５は、図２に示すように、例えば、框、縦桟、横桟等の骨格部材５１を組んだものに対して両面から板状の扉表面材５２を組み付けることで、全体として矩形パネル状の部材として構成される。
【００３０】
扉体５は、図１に示すように、扉幅方向の一方の端部に当該扉体５を開閉するためのドアノブ５４等が設けられる。また、扉体５は、扉幅方向の他方の端部に２軸蝶番５５が設けられている。２軸蝶番５５は、鉛直方向と平行な回動軸を水平方向にずれた位置に２つ設け、扉体５を扉枠４の一方の縦枠部材４１に回動可能に支持する。また、扉体５は、扉幅方向の一方の端部側の端面に、扉枠４の縦枠部材４１に形成された係合受部４１３ａ（図２および図３に示す）と係合するラッチ５７（図２および図３に示す）を設けている。
【００３１】
したがって、扉体５は、２軸蝶番５５の２つの回動軸を回動中心として、開口Ｏを閉塞させる閉塞位置と、開口Ｏを開放させる開放位置とに亘って扉枠４に対して回動可能となる。そして、この扉体５は、閉塞位置にある状態でラッチ５７が縦枠部材４１に形成された係合受部４１３ａに係合する。扉体５は、閉塞位置から開放位置側に扉枠４に対して回動されることで、屋外空間側に進出し開口Ｏを開放する。
【００３２】
また、扉体５は、２軸蝶番５５の２つの回動軸を回動中心として扉枠４に回動可能に支持されるので、閉塞位置において、扉体５が扉枠４に押し付けられる押付方向Ｐ（図２、図３に矢印で示す）に水平移動可能となっている。扉体５は、閉塞位置において、ラッチ５７が係合受部４１３ａに係合して、止水ゴム７とシールゴム６とのうちシールゴム６のみが弾性変形する非止水位置と、非止水位置よりも屋外空間側に位置して止水ゴム７とシールゴム６との双方が弾性変形する止水位置（図３に示す）とに亘って扉枠４に対して押付方向Ｐと平行に水平移動可能となる。
【００３３】
シールゴム６は、扉枠４と扉体５との一方としての扉枠４の全周に取り付けられている。シールゴム６は、扉体５が開口Ｏを閉塞させる閉塞位置にある状態で、押付方向Ｐにおいて当該扉枠４と当該扉体５との間に介在し、扉体５と扉枠４との双方に当接して弾性変形して、扉体５と扉枠４との間を水が流れることを抑制するものである。
【００３４】
止水ゴム７は、扉枠４と扉体５との一方としての扉枠４の全周に取り付けられて、開口Ｏを閉塞した閉塞位置でかつ止水位置の扉体５に当接して、扉枠４と扉体５との間を止水して開口Ｏを止水するものである。本実施形態のシール部３は、扉枠４側に設けられるものとして説明するがこれに限らず、扉体５側に設けられてもよい。
【００３５】
受け材８は、扉枠４の全周に取り付けられ、かつ、シールゴム６と止水ゴム７とを扉枠４の止水用凹溝４４ｂ内に固定するものである。受け材８は、一対の縦枠部材４１の止水用凹溝４４ｂ内に取り付けられる一対の縦側受け材と、上枠部材４２の止水用凹溝４４ｂ内に取り付けられる上側受け材と、下枠部材４３の止水用凹溝４４ｂ内に取り付けられる下側受け材とを含んで構成される。一対の縦側受け材は、鉛直方向に沿って設けられる一対の鉛直部材である。上側受け材と、下側受け材は、水平方向に沿って設けられる一対の水平部材である。一対の縦側受け材と、上側受け材と、下側受け材とは棒状の部材として形成される。受け材８は、一対の縦側受け材の端部と上側受け材の端部と下側受け材の端部とが密着状態となるように連続的に連結されている。一対の縦側受け材と、上側受け材、および、下側受け材によって構成される受け材８は、全体として扉枠４に対応した枠状のロの字型形状に構成される。
【００３６】
グレモンハンドル９は、扉体５に複数設けられ、かつ、閉塞位置にあり水圧非作用時の扉体５を非止水位置から止水位置に変位させるものである。グレモンハンドル９は、扉体５に回動自在に設けられたハンドル部９１と、扉枠４に設けられた凸部（図示省略）とを備えている。ハンドル部９１は、屋外空間側と屋内空間側との双方に設けられかつ使用者が把持できる操作部９１ａと、屋内空間側の操作部９１ａに一体に設けられた乗りあがり部（図示省略）とを備えている。凸部は、扉枠４の縦枠部材４１の屋内空間側の表面から凸に形成されて、乗りあがり部が乗り上がることで、扉体５を非止水位置から止水位置に変位させるものである。グレモンハンドル９は、本実施形態では、扉体５の鉛直方向の中央部に２つと、下端部に２つ、合計４つ設けられている。
【００３７】
上記のように構成される止水扉１の扉枠４の組み立て方法について説明する。まず、屋内側部材４１１と、アンカー板４１２と、閉塞部材４１４とを接合して、縦枠部材４１を組み立てる。具体的には、屋内側部材４１１の延設部４１１ｃの外周面全面と、閉塞部材４１４の平面４１４ｅとを密着させて、屋内側部材４１１の延設部４１１ａの先端部内周面と、アンカー板４１２の一側面４１２ａの先端部外周面とを密着した状態で接合させる。閉塞部材４１４の平面４１４ｇと、アンカー板４１２の他側面４１２ｂの外周面全面とを密着した状態で接合させる。
【００３８】
そして、屋外側部材４１３の内側に位置する閉塞部材４１４の内側に、長手方向（垂直方向）に複数個の補強部材４１５を接合させる。具体的には、補強部材４１５の平面４１５ａの外周面全面と、閉塞部材４１４の平面４１４ｇとが密着した状態で接合させ、補強部材４１５の平面４１５ｃの外周面全面と、閉塞部材４１４の平面４１４ｉとが密着した状態で接合させ、補強部材４１５の延設部４１５ｄの外周面全面と、閉塞部材４１４の平面４１４ｈとが密着した状態で接合させる。補強部材４１５の平面４１５ｂは、屋外側部材４１３の係合面４１３ｂと離間して配設させる。
【００３９】
また、図４に示すように、屋内側部材４２１と屋外側部材４２２とを組み立てて上枠部材４２が構成され、屋内側部材４３１と屋外側部材４３２とを組み立てて下枠部材４３が構成される。
【００４０】
そして、図４に示すように、組み立てた一対の縦枠部材４１と、上枠部材４２と、下枠部材４３とを接合させて、矩形状の枠型を形成する。図５は、縦枠部材４１と下枠部材４３との接合部の矢視Ａ方向の矢視図であり、図６は、縦枠部材４１と下枠部材４３との接合部の矢視Ｂ方向の矢視図であり、図７は、縦枠部材４１と下枠部材４３との接合部の矢視Ｄ方向の矢視図である。縦枠部材４１と下枠部材４３との接合は、それぞれの部材の端部の開口を蓋材Ｈによって閉塞した状態で全周を溶接して接合される。これを、四隅のすべての部材の端部の開口に行う。また、一対の縦枠部材４１、上枠部材４２、下枠部材４３は、開口Ｏとの間がコーキング材等により水密状態とされる。
【００４１】
そして、図４に示すように、上枠部材４２の上面４２２ａに止水テープ４２３を張り付けて、屋外側部材４２２の上側から庇４５を嵌合して接合させる。
【００４２】
そして、組み立てた縦枠部材４１の閉塞部材４１４の平面４１４ｉに止水テープ４１６を全面に亘って張り付けて、屋外側部材４１３を嵌合して接合させる。具体的には、図３に示すように、屋外側部材４１３の係合面４１３ｂの先端部内周面と、閉塞部材４１４の平面４１４ｆとが溶接される。屋外側部材４１３の側面４１３ｅの内周面全面と、閉塞部材４１４の平面４１４ｈとは密着した状態で接合され、屋外側部材４１３の一側端部において溶接される。屋外側部材４１３の側面４１３ｄの内周面全面が、閉塞部材４１４の平面４１４ｉと、止水用テープ４１６を介して密着した状態で接合される。
【００４３】
そして、図３に示すように、屋外側部材４１３の係合面４１３ｂの先端部外周面と、閉塞部材４１４の平面４１４ｅと、屋内側部材４１１のリブ４１１ｂとで囲まれた凹状内周面には、止水テープ４１７を介して受け材８を螺合して固定する。そして、固定した受け材８に、シールゴム６、止水ゴム７を嵌合する。このようにして、図８に示すように、扉枠４が組み立てられる。
【００４４】
上記のように構成される止水扉１の使用方法について説明する。止水扉１は、開口Ｏを通して構造物Ｓ内に出入りする際には、使用者はドアノブ５４などを操作して、扉体５を２軸蝶番５５により開放位置と閉塞位置の非止水位置とに亘って回動させる。これにより、止水扉１は、開口Ｏを開閉する。このとき、扉体５が閉塞位置にある状態であっても、止水ゴム７は、扉体５に当接しない状態、あるいは、止水位置に到達しない程度に扉体５に当接して弾性変形した状態となっており、シールゴム６は扉体５に当接して弾性変形する（図示省略）。
【００４５】
開口Ｏを止水する際には、使用者がグレモンハンドル９を回転させる。すると、グレモンハンドル９の乗りあがり部が凸部に乗り上がって、扉体５を非止水位置から止水位置まで屋内空間側に移動させる。扉体５が止水位置にある状態では、図２および図３に示すように、止水ゴム７は、扉体５に当接して弾性変形するとともに、扉体５の扉表面材５２に密着して、扉体５と扉枠４との間を止水する。すなわち、止水扉１は、止水位置では、止水ゴム７が扉枠４および扉体５の双方と全周に亘って面接触することになり、止水ゴム７が開口Ｏを止水する。
【００４６】
上記のように構成される扉枠４は、開口閉塞状態で、屋外側部材４１３と閉塞部材４１４とで区画された第２空間Ａ２が、閉塞部材４１４によって構造物Ｓの屋内空間側に対して閉塞される。第２空間Ａ２は、係合受部４１３ａを介して屋外空間側と連通しているが、閉塞部材４１４によって構造物Ｓの屋内空間側に対して閉塞される。このため、止水扉１の浸水時には、水が係合受部４１３ａから第２空間Ａ２に浸入したとしても、屋内空間側に流入することが回避され、係合受部４１３ａから屋外空間側に排出される。具体的には、屋外側部材４１３の側面４１３ｄの内周面全面と閉塞部材４１４の平面４１４ｉとが止水用テープ４１６を介して密着しており、閉塞部材４１４の平面４１４ｈと屋外側部材４１３の一側端部とが溶接され、屋外側部材４１３の係合面４１３ｂの先端部内周面と閉塞部材４１４の平面４１４ｆとが溶接されているため、第２空間Ａ２に浸入した水は、接合部などから第１空間Ａ１や屋内空間側に漏れ出ることが回避される。
【００４７】
また、開口閉塞状態で、屋内側部材４１１と閉塞部材４１４とで区画された第１空間Ａ１が、シール部３によって構造物Ｓの屋外空間側に対して閉塞されており、連通していない。このため、止水扉１の浸水時であっても、水が第１空間Ａ１に浸入することを抑制できる。
【００４８】
以上で説明した実施形態に係る扉枠４によれば、開口閉塞状態で、屋外側部材４１３と閉塞部材４１４とで区画された第２空間Ａ２が、係合受部４１３ａを介して構造物Ｓの屋外空間側と連通し、閉塞部材４１４によって構造物Ｓの屋内空間側に対して閉塞されている。また、扉枠４は、閉塞部材４１４が屋内側部材４１１の少なくとも一部および屋外側部材４１３の少なくとも一部と、重ね合わされて密着した状態で配設されている。このために、止水扉１が開口閉塞状態で浸水し、屋外側部材４１３の係合受部４１３ａから第２空間Ａ２に水が浸入したとしても、建造物Ｓの屋内空間側への水の浸入を抑制できる。したがって、扉枠４は、止水性能を向上することができる。
【００４９】
また、このような止水性能を向上した扉枠４は、容易に組み立てることが可能であり、施工が容易である。さらに、この扉枠４は、係合受部４１３ａから第１空間Ａ１や屋内空間側へ水が漏れ出ることを防止するために、別途用意した係合受部４１３ａを係合面４１３ｂに面付けする必要がないため、扉枠４の意匠性、美観を損なわない。しかも、係合受部４１３ａの外縁部をシールすることが省略可能であるため、限られたスペースでの作業を回避することができる。
【００５０】
前述した実施形態では、シール部３として、シールゴム６と止水ゴム７とを備えるものとして説明したが、いずれか一方を備えるものであってもよく、シール部３の構成がこれに限定されないことはもちろんである。
【００５１】
なお、上述した本発明の実施形態、変形例に係る扉枠は、上述した実施形態に限定されず、特許請求の範囲に記載された範囲で種々の変更が可能である。本実施形態に係る扉枠は、以上で説明した各実施形態の構成要素を適宜組み合わせることで構成してもよい。
【符号の説明】
【００５２】
１  止水扉
３  シール部
４  扉枠
４１  縦枠部材（縦枠）
４２  上枠部材（上枠）
４３  下枠部材（下枠）
４１１  屋内側部材
４１３  屋外側部材
４１４  閉塞部材
５  扉体
６  シールゴム
７  止水ゴム
Ｓ  構造物
Ｏ  開口
Ａ１  第１空間
Ａ２  第２空間
【図１】
0006308916.tif 000002
【図２】
0006308916.tif 000003
【図３】
0006308916.tif 000004
【図４】
0006308916.tif 000005
【図５】
0006308916.tif 000006
【図６】
0006308916.tif 000007
【図７】
0006308916.tif 000008
【図８】
0006308916.tif 000009